(57)【特許請求の範囲】
【請求項１】
測定時に接触する突出部材の一方にスライド可動部を取り付け、前記突出部材と、前記スライド可動部との間にテープを挿入する構造として内寸測定用治具を構成し、前記内寸測定用治具を巻尺ケース体の収納部に収納すると共に、前記内寸測定用治具を巻尺ケース体の収納部から出し入れして着脱手段とすることを特徴とした内寸測定用治具付き巻尺。
【請求項２】
測定時に接触する突出部材を半月アール形状に形成した請求項１記載の内寸測定用治具付き巻尺。
【発明の詳細な説明】
【技術分野】
【０００１】  本発明は、内寸測定時に用いられる内寸測定用治具付き鋼製巻尺に関する。
【背景技術】
【０００２】  従来の内寸又は内径測定用治具には、測定用突出部と巻尺固定部等を組み合わせた内径測定治具があった。【０００３】  以下、特許文献１に記載されている図面第１〜４図により従来の内径測定治具を説明する。
第１図（ａ），（ｂ）、（ｃ）に基づく内径測定治具１０は、突出部１１と鋼製巻尺１２が挿入可能な溝部１３を有する巻尺固定部１４とから構成されたものがある。
鋼製巻尺１２は巻尺固定部１４の溝部１３内に挿入された後、後から第２図（ａ），（ｂ）で示すように巻尺固定部１４にカバー１５を取り付け、押さえボルト１６で締め付け固定されていた。
第３図（ａ），（ｂ）、（ｃ）、（ｄ）には内径測定治具の突出部１１が巻尺１２のテープ上面に重ねられている。【０００４】  また、第４図で示すように主に大口径管等の内径測定用を基準として考案されたものであるから内径測定治具１０と鋼製巻尺１２は夫々分離しても利用することができるものの必ずしも良いものではない。
そして、内径測定治具には、他に利用する機能がなく測定用のみに用いられていた。【０００５】
【特許文献１】  実開平４−８５２０２号公報
【発明の開示】
【発明が解決しようとする課題】
【０００６】  以上に述べた従来の内径測定治具は、主に大口径管等の測定用のものであって、これらを一般の内寸測定用治具として用いることによって下記の問題点が生じる。【０００７】  測定治具と巻尺を分離すると携帯や保管、収納面で不便であった。内寸測定時、鋼製巻尺１２は固定部１４の溝部１３からテープを挿入した時、鋼製巻尺１２は固定部１４をスライドさせている間に溝部１３から外れて脱落し、測定しにくかった。【０００８】  また、鋼製巻尺１２は固定部１４の溝部１３にテープを挿入された後、後から固定部１４にカバー１５を取り付けるものであるから、これらもそれぞれ分離されており、そのためいちいち固定部１４にカバー１５を取り付けるのに手間取り面倒で一体化されていないので不便であった。【０００９】  更に、第３図（ａ），（ｂ）、（ｃ）、（ｄ）の図面から見ても突出部１１が巻尺テープの上面位置にあるのでテープの目盛りが読みにくい点や、突出部１１が自在に曲げられない為、収納が不便であったり、それに一般の鋼製巻尺を利用した場合、テープが半月アール形状の厚みがあるため溝部１３に挿入しにくい等が生じていた。【００１０】  鋼製巻尺テープは鋭角的に折り曲げることができず測定物にあてたテープがアール状に曲がるため読み取る誤差が生じる点があるので引例の測定治具が考案されたものの上記のような欠点があった。
そして、従来のものは、測定用の働きのみで、テープに測定治具を嵌めてけがき部を設け、印し線を引くという機能がなかった。【００１１】  本発明は、このような従来の構成が有していた問題点を解決しようとするものであり、本発明は内寸測定治具を収納、保管しやすく巻尺ケース体と内寸測定用治具を一体化として携帯し、更に印し線を引く機能を施して利用することを目的としている。
【課題を解決するための手段】
【００１２】  測定時に接触する突出部材に、それと同時に位置移動させるためのスライド可動部を接続固定し、それらの間にテープを挿入して一体化構造による内寸測定用治具を構成する。【００１３】  上記の内寸測定用治具を巻尺ケース体内に収納部を設けて内蔵させると共に、内寸測定用治具の一方端部面を巻尺ケース体のテープ出入口部分に装着し係止させておいて、内寸測定用治具を出し入れ着脱手段とする。【００１４】  必要に応じて測定時に接触する突出部材の一方に巻尺テープのスライド防止とする係止ストッパーを取り付ける。
上記の手段は、内寸測定用治具にテープを嵌めて合体しておいて、内寸測定時、テープと同時に引き出す手段を講じている。
内寸測定以外時は、テープのみを出入口から引き出して使用する。【００１５】  測定時に接触する突出部材は、テープと同様に半月アール状に形成してテープより幅広にしてテープを重ね合わせ、目盛の数字を読みやすく、更に自在に曲がりを持たせて巻尺ケース体内にテープと同時に重なり合って収納できるようにする。【００１６】  また、他の手段として、測定時に接触する突出部材にテープをはさみ込むための挿入溝を設けたＵ状のスライド可動部を接続固定して、それらにテープのスライド防止とする係止ストッパーを取り付け、これらを一体化構造として内寸測定用治具を構成する。【００１７】  上記の構成による内寸測定用治具は、巻尺ケース体の一部分に収納部を設けて、その部分に収納、保管して携帯するもので、この方法は、内寸測定用治具とテープを分離しておき、内寸測定時にテープと合体して利用する手段である。
上記は、内寸測定用治具としての利用方法であるが他の用途として、スライド可動部の一方端部にけがき部を設けて、テープの目盛に合せ、印し線を引く機能を持たせる。
【発明の効果】
【００１８】  上述したように本発明の内寸測定用治具付き巻尺は、巻尺ケース体と一体化収納のため、携帯や保管に便利で迅速に用いられる。【００１９】  測定時に接触する突出部材の幅をテープの幅より若干広くして上面にテープをのせているのでテープの目盛りが見やすい。【００２０】  測定時に接触する突出部材を巻尺テープと同様に半月アール形状にすることによって、テープに密着し目盛りが読みやすく、また自在に曲がりを持たせているので収納に便利である。【００２１】  内寸測定用治具に、けがき部を設けているのでテープの目盛りに合せて印し線を引くことができ、切断時、正確にマーク付けができる。
【発明を実施するための最良の形態】
【００２２】  以下、本発明の実施の形態を図１〜図９に基づいて説明する。【００２３】  図１〜図３は、実施例１を示すもので、図１〜図３に基づいて説明すると、測定時に接触する突出部材１の一方に、スライド可動部２を両端カシメ３によって固定する。固定されたスライド可動部２と測定時に接触する突出部材１は一体化として、中間にスライド空間４を設けて、その間に巻尺テープ５を挿入し、脱落しないように覆いかぶせる。【００２４】  スライド可動部２に巻尺テープ５を固定するためのネジ込み式係止ストッパー６を取り付け、端部に突起ストッパー７を設けた。
巻尺テープ５が、半月アール状になっているため、それに合せて測定時に接触する突出部材１やスライド可動部２も半月アール形状にする。【００２５】  図１は、巻尺ケース体８から内寸測定用治具９を引き出したもので、挿入されたテープ５は測定時に接触する突出部材１の上面に位置し、測定物１０に対して測定時に接触する突出部材１の先端部１１を測定物１０にあてて、係止ストッパー６を締めることによって、テープ５が固定され、先端部１１を測定物１０から外し、先端物１１にテープ５の目盛りの数字を合せて読み取る。
尚、ネジ込み式による係止ストッパー６のネジの部分に、テープ５のキズ防止や、ストッパーの役目をするための図２で示す、すべり止め材２４を設ける。
そして、図１で示す突起ストッパー７の側面にけがき部２５を設ける。【００２６】  図３は、巻尺ケース体８に内寸測定用治具９を収納部１２の中にテープ５と共に収納したもので、接触時に接触する突出部材１もテープ５と同様に、同時に巻き込まれながら屈折し収納される。
突出部材１は、テープと同様な素材を用いると良い。
スライド可動部２の端部に設けた突起ストッパー７は、テープ出入口１３にツメ１４と共に係止され、引き出す場合は突起ストッパー７をつまみ出すことによって、テープ５及びツメ１４に突起ストッパー７がかみ合っているため、同時に引き出すことができる。【００２７】  収納部１２に内蔵された内寸測定用治具９を使用しない場合、突起ストッパー７は、テープ出入口１３に係止しているので、テープ５のツメ１４のみを引き出すことによって、テープ５のみが出し入れ可能になっている。内寸測定用治具９は、テープ出入口１３から突起ストッパー７によって着脱自在に出し入れができる。【００２８】  図４〜図５は、実施例２を示すものでこれらに基づいて説明する。
測定時に接触する突出部材１の一方端部に、スライド可動部２を突出部材１の型材である素材を利用して曲げて巻き込んでテープ５を挿入し、スライド空間４を設けてテープ５をスムーズにスライドさせる状態にする。
また、巻き込んだスライド可動部２の両端部にテープ５をかみ合わせて固定させるための係止ストッパー溝１８を形成する。
テープ５の中央部２６を指で仮り押さえしても一時的に目盛りを見ることができる。
更に、必要に応じて、スライド可動部２の部分に、ネジ込み式係止ストッパー６を取り付けてテープ５を固定することもできるので何れでも良い。スライド可動部２にも突起ストッパー７を設けて巻尺ケース体から着脱自在に出し入れすることができる。【００２９】  係止ストッパー溝１８を利用してテープ５を固定する場合、両端に設けた係止ストッパー溝１８の位置までテープ５を移動させてかみ合わせ、一時的にテープ５を固定する手段で、それを利用する場合は、係止ストッパー６は取り除いても良く、簡易的でローコスト型の内寸測定用治具９として利用できる。
また、突起ストッパー７の側面にけがき部２５を設けた。
図４の内寸測定用治具９も同様に巻尺ケース体の収納部に内蔵することができる。【００３０】  図６〜図９は、実施例３を示すものでこれらに基づいて説明する。
図６の内寸測定用治具９は、測定時に接触する突出部材１の一方にＵ状スライド可動部１９を接続固定して側面にテープ挿入溝２０を設けている。また、Ｕ状スライド可動部１９の部分に係止ストッパー６を取り付け、その一端に突起ストッパー７を突設し、側面にけがき部２５を設けた。
図７〜図８で示すように、テープ５を押さえる為の押さえ材２３とスプリング２２を取り付ける。
テープ５を挿入する時は、係止ストッパー６を上方に上げて挿入し、テープ５をスプリング２２と共に押さえ材２３で押さえる。押さえることによって脱落防止を行う。【００３１】  テープ５が半月アール形状のため、それに合わせて測定時に接触する突出部材１とＵ状スライド可動部１９を半月アール形状に形成し、スライド空間４を設けてスムーズにテープ５をスライドさせる。
尚、スライド時、係止ストッパー６を上方に持ち上げてスライドさせる。【００３２】  上記の構成による構造手段とした内寸測定用治具９を図９で示すように巻尺ケース体８の部分に収納部１２を設けて一体化にする。
内寸測定用治具９は、テープ出入口１３の方向から突出部材１及びＵ状スライド可動部１９を、巻尺ケース体８の底部に設けた収納部１２に挿入し収納する。
そして、収納部１２に収納された内寸測定用治具９は、巻尺ケース体８の収納部から出し入れし、着脱手段とする。【００３３】  使用する場合は、収納部１２から突起ストッパー７をつまんで突出部材１を取り出し、テープ５を引き出してテープ挿入溝２０にテープ５を挿入する。
収納部１２に収納された内寸測定用治具９は、巻尺ケース体８と一体化となっている為、収納、保管がしやすく携帯時便利である。
【図面の簡単な説明】
【００３４】
【図１】  実施例１の使用状態を示す平面図
【図２】  実施例１のＡ−Ａ断面図
【図３】  実施例１の収納状態を示す側面断面図
【図４】  実施例２の使用状態を示す平面図
【図５】  実施例２のＣ−Ｃ断面図
【図６】  実施例３の使用状態を示す平面図
【図７】  実施例３の使用状態を示すＤ−Ｄ側面断面図
【図８】  実施例３のＥ−Ｅ断面図
【図９】  実施例３の収納状態を示す側面断面図
【符号の説明】
【００３５】  １    突出部材
２    スライド可動部
４    スライド空間
５    テープ
６    係止ストッパー
７    突起ストッパー
８    巻尺ケース体
９    内寸測定用治具
１１  先端部
１２  収納部
１３  テープ出入口
１８  係止ストッパー溝
１９  Ｕ状スライド可動部
２０  テープ挿入溝
２５  けがき部
２６  中央部
【図１】
0004399840.tif 000002
【図２】
0004399840.tif 000003
【図３】
0004399840.tif 000004
【図４】
0004399840.tif 000005
【図５】
0004399840.tif 000006
【図６】
0004399840.tif 000007
【図７】
0004399840.tif 000008
【図８】
0004399840.tif 000009
【図９】
0004399840.tif 000010